(57)【要約】    【課題】車両運転者の注意を強く喚起し得る発光表示装置を提供する。    【解決手段】  第１の発光部２００及び第２の発光部３００のそれぞれは、同一面側に配置されている。第１の発光部２００及び第２の発光部３００は、一方が回転点灯し、その間、他方が点滅する期間を含むように駆動される。支持部１０３は、第１の発光部２００及び第２の発光部３００の設けられている面側が、横向きとなるように、第１の発光部２００及び第２の発光部３００を支持している。【選択図】      図１
2006059121.tif 000002
【特許請求の範囲】
【請求項１】
第１の発光部と、第２の発光部と、駆動装置と、支持部とを含み、地上に設置される発光表示装置であって、
前記第１の発光部及び前記第２の発光部のそれぞれは、同一面側に配置されており、
前記駆動装置は、前記第１の発光部及び前記第２の発光部を駆動するものであり、
前記第１の発光部及び前記第２の発光部は、一方が回転点灯し、その間、他方が点滅する期間を含むように駆動され、
前記支持部は、前記第１の発光部及び前記第２の発光部の設けられている面側が、横向きとなるように、前記第１の発光部及び前記第２の発光部を支持している、
発光表示装置。
【発明の詳細な説明】
【技術分野】
【０００１】
本発明は、道路工事現場等において用いられる発光表示装置に関する。
【背景技術】
【０００２】
道路工事現場において、工事中であることを表示する標識がなければ、特に夜間には、自動車、自転車などの車両運転者が、それとは気づかずに、道路工事現場に突っ込んでしまい、怪我などを負う危険性がある。また、車両の運転者の不注意等が原因で、工事や交通整理に従事する作業員がはねられる、いわゆる、もらい事故が発生するおそれもある。
【０００３】
そこで、道路工事現場では、道路交通の安全及び作業員の安全等を図るべく、車両進入口に発光表示装置を設置して、運転者の注意を喚起し、車両に徐行運転をさせている。
【０００４】
従来の発光表示装置としては、同一箇所に備えられた発光部を繰返し点灯／消灯させるものや、単調な１方向の回転運動を繰り返すものが知られている。例えば、特許文献１、及び、特許文献２は、点灯／消灯状態のタイミングを合せることにより、円周上に一列に配置された複数の発光体が、あたかも一方向に回転しているように見える発光表示装置を開示している。
【０００５】
しかしながら、特許文献１、及び、特許文献２に記載された発光表示装置は、単調な１方向の回転運動を繰り返すだけであるから、運転者に対する注意喚起力が弱い。
【特許文献１】実用新案登録第２５１４９８０号公報
【特許文献２】特開２００３−６８１０５号公報
【発明の開示】
【発明が解決しようとする課題】
【０００６】
本発明の課題は、車両運転者の注意を強く喚起し得る発光表示装置を提供することである。
【課題を解決するための手段】
【０００７】
上述した課題を解決するため、本発明に係る発光表示装置は、第１の発光部と、第２の発光部と、駆動装置と、支持部とを含み、地上に設置される。第１の発光部及び第２の発光部のそれぞれは、同一面側に配置されている。駆動装置は、第１の発光部及び第２の発光部を駆動するものである。第１の発光部及び第２の発光部は、一方が回転点灯し、その間、他方が点滅する期間を含むように駆動される。支持部は、第１の発光部及び第２の発光部の設けられている面側が、横向きとなるように、第１の発光部及び第２の発光部を支持している。
【０００８】
上述したように、本発明に係る発光表示装置は、第１の発光部及び第２の発光部のそれぞれが、同一面側に配置されており、支持部は、第１の発光部及び第２の発光部の設けられている面側が、横向きとなるように、第１の発光部及び第２の発光部を支持しているから、第１の発光部及び第２の発光部が配置された面側を、運転者に対面させ、第１の発光部及び第２の発光部を、運転者に同時に視認させることができる。
【０００９】
第１の発光部及び第２の発光部は、駆動装置によって、一方が回転点灯し、その間、他方が点滅（点灯／滅灯）する期間を含むように駆動されるから、同一箇所に備えられた発光部を繰返し点灯／消灯させる表示装置や、単調な１方向の回転運動を繰り返す表示装置と比較して、車両運転者の注意を、強く喚起することができる。
【００１０】
なお、本発明において、「滅灯」とは、電流零の完全な滅灯に限らず、暗電流や微少電流は流れているが、実質的に滅灯状態とみなせるような場合も含まれる。
【発明の効果】
【００１１】
以上述べたように、本発明によれば、車両運転者の注意を強く喚起し得る発光表示装置を提供することができる。
【００１２】
本発明の他の特徴及びそれによる作用効果は、添付図面を参照し、実施例によって更に詳しく説明する。
【発明を実施するための最良の形態】
【００１３】
図１は本発明の発光表示装置の使用状態の一実施例を示す正面図、図２、図３は図１に示した発光表示装置の部分拡大図である。図示の発光表示装置は、例えば、道路工事に用いられる移動可能な発光表示装置であり、地上に設置されて使用される。
【００１４】
まず、図1を参照すると、発光表示装置は、第１の発光部２００と、第２の発光部３００と、表示板１０１と、支柱１０２と、支持部１０３と、駆動装置５０１、５０２とを含む。
【００１５】
第１の発光部２００及び第２の発光部３００のそれぞれは、表示板１０１の同一面側に配置されている。第１、第２の発光部２００、３００は、同一の平面上に設けてもよいし、段差を有する２つの段面のそれぞれに設けてもよいし、傾斜面に設けてもよいし、凹凸面に設けてもよい。要は、同一方向から見て、同時に見えるように配置する。
【００１６】
支柱１０２は、表示板１０１を支えるためのものであり、表示板１０１に接続されている。支持部１０３は、第１、第２の発光部２００、３００の設けられている面側が、横向きとなるように、支柱１０２及び表示板１０１を、安定に支持固定する。横向きとは、設置状態において表示板１０１の面が運転者に対面する向きをいう。
【００１７】
駆動装置５０１は、第１の発光部２００を駆動するための回路であり、駆動装置５０２は、第２の発光部３００を駆動するための回路である。駆動装置５０１、５０２は、例えば、インバータ回路、発振回路、遅延回路等を組合せて構成でき、表示板１０１の背面等、適当な位置に設けることができる。駆動装置５０１，５０２は、単一の装置として構成することもできる。
【００１８】
次に、図２、図３を参照すると、第１の発光部２００は、複数の発光体２１０〜２３３を含み、第２の発光部３００は、複数の発光体３１０〜３２１を含む。斜線を付した発光体２１０〜２３３、３１０〜３２１は、点灯状態を示しており、斜線を付していない発光体２１０〜２３３、３１０〜３２１は、滅灯状態を示している。
【００１９】
発光体２１０〜２３３、３１０〜３２１は、表示板１０１の正面側に、環状に配置されている。発光体２１０〜２３３は、発光体３１０〜３２１に隣り合い、かつ、発光体３１０〜３２１の外側に配置されている。発光体２１０〜２３３は、発光体３１０〜３２１の内側に配置されていてもよい。
【００２０】
図示の実施例において、第１、第２の発光部２００、３００は、複数の発光体で構成されているが、発光体同士の間隔を無くし、環状の１つの発光体を構成してもよい。あるいは、面状の連続発光体として構成してもよい。発光体２１０〜２３３、３１０〜３２１の個数は任意である。
【００２１】
図４は図２、図３に示した発光体の一例を示す拡大図である。図４に示すように、発光体２１０〜２３３、３１０〜３２１は、支持体４０１上に、複数の発光要素４０２を配置して構成されている。この構成によれば、同一の発光体に属する発光要素４０２の群を、実質的に同一タイミングで発光させることにより、単体の発光要素４０２よりも、大きな発光量を得ることができる。
【００２２】
発光要素４０２の光色は、任意であり、例えば、赤色、黄色、青色、白色等にすることができる。図示の実施例では、例えば、第１の発光部２００については、発光要素４０２の光色を赤色とし、第２の発光部３００については、発光要素４０２の光色を青色としている。
【００２３】
発光要素４０２としては、発光ダイオードを用いることが好ましい。発光ダイオードは、フィラメント灯とは異なり、断芯を生じることがなく、長寿命で、信頼性の高い発光表示装置が得られるからである。図示は省略したが、発光要素４０２の発光面（光出射面）側にレンズや透明フード等の光学系を設けてもよい。
【００２４】
次に、図２、図３を参照して、発光表示装置の発光動作について述べる。図２、図３において、第１の発光部２００は、発光体２１０〜２３３のうち、点灯した発光体が環状の領域に沿って順次に移動し、矢印ａ１の方向に回転しているように見える。
【００２５】
また、反射的効果として、滅灯している発光体が回転して見えるように、点灯した発光体を順次に移動させてもよい。第１の発光部２００の回転速度は、任意であり、等速度運動、等加速度運動等とすることができる。
【００２６】
第２の発光部３００は、発光体３１０〜３２１が点灯及び滅灯を交互に繰返す。第２の発光部３００の点灯／滅灯のタイミング、点灯時間、滅灯時間等は任意である。
【００２７】
第２の発光部３００の点滅は、発光体３１０〜３２１の全部ではなく、その一部のみが点滅するものであってもよい。また、第２の発光部３００の点灯／滅灯のタイミングを、第１の発光部２００の発光体の移動と同期させてもよい。
【００２８】
上述したように、本発明に係る発光表示装置は、第１の発光部２００及び第２の発光部３００のそれぞれが、同一面側に配置されており、支持部１０３は、第１、第２の発光部２００、３００の設けられている面側が、横向きとなるように、第１、第２の発光部２００、３００を支持しているから、第１、第２の発光部２００、３００が配置された面側を、運転者に対面させ、第１、第２の発光部２００、３００を、運転者に同時に視認させることができる。
【００２９】
しかも、第１、第２の発光部２００、３００は、一方が回転点灯し、その間、他方が点滅する期間を含むように駆動されるから、同一箇所に備えられた発光部を繰返し点灯／消灯させる表示装置や、単調な１方向の回転運動を繰り返す表示装置と比較して、車両運転者の注意を、強く喚起することができる。
【００３０】
特に、第１の発光部２００が「回転する軌跡」として、運転者に認識されるのに対して、第２の発光部３００は、「表示状態／非表示状態」として、運転者に認識される。「回転する軌跡」と「表示状態／非表示状態」とは、全く異なる種類の動きであるから、これらを同時に認識する際には、非常に強い注意が喚起されることとなる。
【００３１】
また、図１〜図３に示した発光表示装置では、第１の発光部２００が環状であるのに対し、第２の発光部３００は、第１の発光部２００によって囲まれた領域内に設けられており、第１の発光部２００による環状発光の内側に、これとは、発光面積や、発光形状の異なる第２の発光部３００が現れる。運転者は、発光面積、発光形状などが異なることによる刺激性のある第１、第２の発光部２００、３００を、同一視野内で視認することとなり、注意が強く喚起されることとなる。
【００３２】
また、第１の発光部２００の光色と、第２の発光部３００の光色とを異ならせてあるから、車両運転者の注意を一層強く喚起することができる。
【００３３】
更に、駆動装置５０１，５０２がインバータ回路、発振回路、遅延回路等の電子回路によって構成されているから、機械的駆動部分の摩耗や損傷等の故障を生じない。
【００３４】
次に本発明に係る発光表示装置の他の実施例について、図５〜図１７を参照して説明する。これらの図において、図１〜図４に現れた構成部分と同一の部分については、同一の参照符号を付し、重複説明を省略する。また、基本的な作用効果については、図１〜図４に図示した実施例と重なるので、その重なる作用効果については説明を省略し，実施例に特有の作用効果を中心にして説明する。
【００３５】
図５は、本発明に係る発光表示装置の別の実施例を示す正面図である。図５において、第２の発光部３００は、発光体同士が間隔を無くして備えられ、環状の１つの発光体を構成している。第１の発光部２００は、回転するように点灯し、第２の発光部３００は、点灯及び滅灯を交互に繰返す。
【００３６】
図６は、本発明の発光表示装置の更に別の実施例を示す正面図である。図６において、第１の発光部２００は、複数の発光体２１０〜２１９を含む。第２の発光部３００は、複数の発光体３１０〜３１５を含む。発光体２１０〜２１９は、発光体３１０〜３１５の外側に配置されている。第２の発光部３００は、回転するように点灯し、第１の発光部２００は、点灯及び滅灯を交互に繰返す。
【００３７】
図７〜図９は、本発明の発光表示装置の更に別の実施例を示す正面図である。図７〜図９において、第１の発光部２００の発光体２１０〜２３３は、矢印ａ１で示す時計回りの方向に回転するように点灯する。第２の発光部３００は、発光体３１６〜３２１の点灯、全ての発光体３１０〜３２１の滅灯、発光体３１０〜３１５の点灯、全ての発光体３１０〜３２１の滅灯を順番に繰返す。
【００３８】
図１０〜図１２は、本発明の発光表示装置の更に別の実施例を示す正面図である。この実施例では、第１の発光部２００の発光体２１０〜２３３は、矢印ａ１で示す時計回りの方向に回転するように点灯する。第２の発光部３００の発光体３１０〜３２１は、点灯タイミング毎に、点灯している発光体が順次に移動し、矢印ａ２で示す反時計回りの方向に回転して見えるように点滅する。
【００３９】
具体的には、例えば、図１０に示すように、まず、第２の発光部３００の発光体３１９が点灯し、かつ、第１の発光部２００の発光体２２３〜２２６が順次に点灯する。次に、図１１に示すように、第２の発光部３００が滅灯し、かつ、第１の発光部２００の発光体２２７〜２３０が順次に点灯する。次に、図１２に示すように、第２の発光部３００の発光体３１８が点灯し、かつ、第１の発光部２００の発光体２３１〜２１０が順次に点灯し、以下、同様に点灯／滅灯を繰返す。
【００４０】
図１０〜図１２において、第１の発光部２００及び第２の発光部３００のそれぞれは、環状に配置され、回転するように点灯／点滅駆動されるから、発光部分２１０〜２３３、３１０〜３２１の点灯／滅灯の軌跡は、その環状領域に沿って回転する動きとして視認される。このため、図示の発光表示装置は、点灯／消灯状態を繰り返す点滅灯と比較して、車両運転者の注意を、強く喚起することができる。
【００４１】
しかも、第１の発光部２００及び第２の発光部３００のそれぞれが、互いに逆方向に回転するように、点灯／点滅駆動されるから、単調な１方向の回転運動を繰り返す回転灯と比較して、運転者の注意を非常に強く喚起することができる。
【００４２】
図１３は、本発明の発光表示装置の更に別の実施例を示す正面図である。図１３において、第１の発光部２００は、複数の発光体が、２つの円周を隣接させた環状に配置されている。第２の発光部３００は、第１の発光部２００に隣り合い、かつ、第１の発光部２００の内側に配置されている。
【００４３】
図１３の発光表示装置では、例えば、第１の発光部２００の点灯した発光体が、上部の円周を時計回りの矢印ａ１方向に移動した後、下部の円周を反時計回りの矢印ａ３方向に移動し、再び、上部の円周を矢印ａ１で示す時計回り方向に移動する。第２の発光部３００は、点灯及び滅灯を交互に繰返す。
【００４４】
図１４は、本発明の発光表示装置の更に別の実施例を示す正面図である。図１４に図示された発光表示装置は、第１の発光部２００と、第２の発光部３００と、第３の発光部６００とを含む。第１の発光部２００、第２の発光部３００及び第３の発光部６００は、４角形の環状に配置されている。第１の発光部２００は、第２の発光部３００の外側に配置され、第３の発光部６００は、第１の発光部２００の外側に配置されている。
【００４５】
図１４の構成において、第１の発光部２００は、環状の領域に沿って回転するように点灯する。第２の発光部３００は、点灯及び滅灯を交互に繰返す。第３の発光部６００は、環状の領域に沿って回転、又は、点灯／滅灯をする。
【００４６】
図１５は、本発明の発光表示装置の更に別の実施例を示す正面図である。図１５において、第１、第２の発光部２００、３００は、隣接して配置されている。第１の発光部２００は、回転するように点灯し、第２の発光部３００は、点灯及び滅灯を交互に繰返す。
【００４７】
図１６は本発明の発光表示装置の更に別の実施例を示す斜視図、図１７は図１６に示した発光体の拡大図である。
【００４８】
まず、図１６を参照すると、発光表示装置は、第１の発光部２００と、第２の発光部３００と、駆動装置（図示せず）と、支持部１０３とを含む。支持部１０３は、表示板としての機能と、第１、第２の発光部２００、３００を支持する支持部としての機能を兼備える。
【００４９】
次に、図１７を参照すると、発光体２１０〜２３３、３１０〜３２１は、支持体４０１上に、複数の発光要素４０２、４０３を配置して構成されている。発光要素４０２と発光要素４０３とは、異なる光色を有する。
【００５０】
図１６及び図１７に示した発光表示装置は、互いに異なる光色を有する発光要素４０２、４０３を有するので、点灯するタイミング毎に、異なる色の発光表示を実現できる。
【００５１】
例えば、発光要素４０２の光色を赤色とし、発光要素４０３の光色を青色とした場合、第１の発光部２００及び第２の発光部３００の一方を赤色に回転点灯させ、かつ、他方を青色に点滅させることができる。また、一方を青色に回転点灯させ、かつ、他方を赤色に点滅させることができる。また、一方を青色に回転点灯させ、かつ、他方を青色に点滅させることができる。更に、一方を赤色に回転点灯させ、かつ、他方を赤色に点滅させたり、これらを組合せて、複雑な発光表示を実現できる。そして、これらの複雑な発光表示により、車両運転者の注意を、更に強く喚起できる。
【００５２】
また、本発明に係る発光表示装置において、例えば、第１の発光部２００が赤色に回転点灯する場合、第１の発光部２００に属する発光体２１０〜２３３のうち、赤色に点灯していない発光体は、滅灯していてもよいし、青色に点灯していてもよい。
【００５３】
更に、本発明に係る発光表示装置において、例えば、第１の発光部２００が点滅する場合、第１の発光部２００に属する発光体２１０〜２３３は、赤色点灯と滅灯とを交互に繰返してもよいし、赤色点灯かつ青色滅灯するタイミングと、青色点灯かつ赤色滅灯するタイミングとを交互に繰返してもよい。
【００５４】
以上、好ましい実施例を参照して本発明の内容を具体的に説明したが、本発明の基本的技術思想及び教示に基づいて、当業者であれば、種々の変形態様を採り得ることは自明である。
【図面の簡単な説明】
【００５５】
【図１】本発明の発光表示装置の使用状態の一実施例を示す正面図である。
【図２】図１に示した発光表示装置の部分拡大図である。
【図３】図１に示した発光表示装置の別の部分拡大図である。
【図４】図２、図３に示した発光体の一例を示す拡大図である。
【図５】本発明に係る発光表示装置の別の実施例を示す正面図である。
【図６】本発明の発光表示装置の更に別の実施例を示す正面図である。
【図７】本発明の発光表示装置の更に別の実施例を示す正面図である。
【図８】本発明の発光表示装置の更に別の実施例を示す別の正面図である。
【図９】本発明の発光表示装置の更に別の実施例を示す更に別の正面図である。
【図１０】本発明の発光表示装置の更に別の実施例を示す正面図である。
【図１１】本発明の発光表示装置の更に別の実施例を示す別の正面図である。
【図１２】本発明の発光表示装置の更に別の実施例を示す更に別の正面図である。
【図１３】本発明の発光表示装置の更に別の実施例を示す正面図である。
【図１４】本発明の発光表示装置の更に別の実施例を示す正面図である。
【図１５】本発明の発光表示装置の更に別の実施例を示す正面図である。
【図１６】本発明の発光表示装置の更に別の実施例を示す斜視図である。
【図１７】図１６に示した発光体の一例を示す拡大図である。
【符号の説明】
【００５６】
２００                第１の発光部
３００                第２の発光部
５０１、５０２        駆動装置
１０３                支持部
【図１】
2006059121.tif 000003
【図２】
2006059121.tif 000004
【図３】
2006059121.tif 000005
【図４】
2006059121.tif 000006
【図５】
2006059121.tif 000007
【図６】
2006059121.tif 000008
【図７】
2006059121.tif 000009
【図８】
2006059121.tif 000010
【図９】
2006059121.tif 000011
【図１０】
2006059121.tif 000012
【図１１】
2006059121.tif 000013
【図１２】
2006059121.tif 000014
【図１３】
2006059121.tif 000015
【図１４】
2006059121.tif 000016
【図１５】
2006059121.tif 000017
【図１６】
2006059121.tif 000018
【図１７】
2006059121.tif 000019